(57)【要約】【課題】床暖房パネルの施工が効率的に行え、かつ施工後には配線部のパネルカバーの割れなどが発生するおそれのない床暖房パネル接続構造を提供する。【解決手段】ヒーターパネル１は、ヒーターユニット１０と、ヒーターユニット１０に給電するための給電用コネクタ１２を収容するコネクタ収容部２３を途中に配し、配線挿通口２４，２５を両端に有した配線トンネル２２、およびヒーターユニット収容部２１が形成されたパネルベース２０と、パネルベース２０に被せられるパネルカバー３０とを備えており、配線トンネル２２は、隣設されたヒーターパネル１の配線トンネル２２と、配線挿通口２４，２５を通じて同一直線状に連通する構造とされ、パネルカバー３０は、配線作業時に、配線トンネル２２のうち、一方の配線挿通口２５からコネクタ収容部２３までに通じる配線通路２２ａと、コネクタ収容部２３の全体とを露出開口させる配線操作カバー３２を備えている【選択図】図１
2010007872.tif 000002
【特許請求の範囲】
【請求項１】
発熱体を内蔵したヒーターパネルを複数、それぞれのヒーターパネルの内部に配線ケーブルを通過させて接続し、下地床上に配列して構成される床暖房パネル接続構造であって、
上記ヒーターパネルは、
発熱体を内蔵したヒーターユニットと、
上記ヒーターユニットに給電するための給電用コネクタを収容するコネクタ収容部を途中に配し、配線挿通口を両端に有した配線トンネル、および上記ヒーターユニットを収容するヒーターユニット収容部が形成されたパネルベースと、
上記パネルベースに被せられるパネルカバーとを備えており、
上記配線トンネルは、隣設されたヒーターパネルの配線トンネルと、配線挿通口を通じて同一直線状に連通する構造とされ、
上記パネルカバーは、配線作業時に、上記配線トンネルのうち、一方の配線挿通口からコネクタ収容部までに通じる配線通路と、上記コネクタ収容部の全体とを露出開口させる配線操作カバーを備えていることを特徴とする床暖房パネル接続構造。
【請求項２】
請求項１において、
上記コネクタ収容部は、上記一方の配線挿通口側に偏在して形成されている床暖房パネル接続構造。
【請求項３】
請求項１または２において、
上記配線操作カバーは、上記パネルカバーの一隅部を切断、分割して形成されている床暖房パネル接続構造。
【発明の詳細な説明】
【技術分野】
【０００１】
本発明は、発熱体を内蔵したヒーターパネルを複数、それぞれのヒーターパネルの内部に配線ケーブルを通過させて接続し、下地床上に配列して構成される床暖房パネル接続構造の改良に関するものである。
【背景技術】
【０００２】
従来の床暖房パネルにおいては、床暖房パネルを構成する個々のヒーターパネルは、発熱体を内蔵するとともに、その発熱体に給電するためのコネクタ部も収容した構造となっている。
【０００３】
このような床暖房パネルでは、複数のヒーターパネルをまず下地床上に敷設しておき、その後、コネクタ部に対して、コントローラから床暖房パネルまでの配線や、パネル間の結線作業を行うようにしている。
【０００４】
近年では、そのようなコネクタ部の接続構造に関する提案が種々、なされている（例えば特許文献１を参照）。これらのものは、配線作業をしやすくするために配線作業時にはコネクタ部の周辺の配線部を開口させておく配線操作カバーを備えていることが通例であり、配線作業後に配線部を覆い隠すように固着される。
【０００５】
図５，６は従来の床暖房パネルの接続構造を示す説明図であり、図５は床暖房パネルを構成するヒーターパネルの分解斜視図、図６（ａ）は下地床上に隣設された２枚のヒーターパネルの平面図、（ｂ）はパネル同士の当接部分を拡大した平面図である。
【０００６】
従来のヒーターパネル１００は、発熱体を内蔵したヒーターユニット１１０と、そのヒーターユニット１１０、ケーブル１１１を介してヒーターユニット１１０に給電するための給電用コネクタ１１２、およびそのコネクタ１１２に接続された配線ケーブル１１３を収容したパネルベース１２０と、それらを収容した状態でパネルベース１２０に被せられるパネルカバー１３０とを備えている。図中の１２１はヒーターユニット収容部である。
【０００７】
配線ケーブル１１３を収容させるために、パネルベース１２０には、ヒーターパネル１００が下地床上に敷設されたときに、隣設されたヒーターパネル１００のものと同一直線状に整合する挿通口１２４，１２５を両端に形成した配線トンネル１２２が形成されており、その配線トンネル１２２の略中央部に、コネクタ部１１２を収容させるコネクタ収容部１２３が配されている。また、パネルカバー１３０には、配線作業時にコネクタ収容部１２３の周辺を露出開口させるための配線操作カバー１３２が設けられている。
【０００８】
図６（ａ）に示すように、配線作業時には隣り合う両パネル１００，１００の配線操作カバー１３２を取り外しておき、一方の露出開口１２６より配線ケーブル１１３を挿入して、配線トンネル１２２内を通過させ、さらに挿通口（出口）１２４と隣のパネルの挿通口（入口）１２５とを通過させ、隣のパネル１００の配線トンネル１２２内を通過させ、さらに露出開口１２６内に配設したコネクタ部１１２まで通過させるようにして、相互の配線接続を行う。
【０００９】
ところで、実際の施工では、図６（ｂ）に示すように、隣接する両パネル１００，１００が成形誤差や施工時の据付誤差などのため挿通口１２４，１２５の位置がずれることがある。そのため、引っかかりなく配線ケーブルの通過作業をするために、配線トンネル１２２の幅寸法を、配線ケーブル１１３のもっとも幅の広い差込プラグ１１３ａの幅寸法２０ｍｍよりも１０ｍｍの余裕をみて、３０ｍｍとしている。
【特許文献１】特開平０７−２５３２２２号公報
【発明の開示】
【発明が解決しようとする課題】
【００１０】
しかしながら、トンネル幅を広げたものでは、配線トンネル１２２の上方にキャスターなどで集中荷重がかかると、パネルカバー１３０やその上の床材（不図示）が薄い場合、パネルカバー１３０に割れが生じるおそれがあり、安全性を考慮して配線トンネル１２２の幅はなるべく狭く形成したいとの要望があった。
【００１１】
一方、パネルカバー１３０のカバー本体１３１は、矩形の板材より一部をくり抜いて形成されており、配線作業が完了した後には、くり抜いた材料を、露出開口１２６を閉塞するための配線操作カバー１３２として利用していたが、露出開口１２６の両翼部分１３１ａが変形しやすく、嵌め入れ作業が困難であったため、他の部材より成形したものをカバーとして使用していた。
【００１２】
このように、従来の床暖房パネルの施工作業においては、施工上、施工後の種々の問題があり、いずれの問題も解決できるような対策が望まれていた。
【００１３】
本発明は、このような問題を考慮して提案されたもので、その目的は、床暖房パネルの施工が効率的に行え、かつ施工後には配線部のパネルカバーの割れなどが発生するおそれのない床暖房パネル接続構造を提供することにある。
【課題を解決するための手段】
【００１４】
上記目的を達成するために、請求項１に記載の床暖房パネル接続構造は、発熱体を内蔵したヒーターパネルを複数、それぞれのヒーターパネルの内部に配線ケーブルを通過させて接続し、下地床上に配列して構成される床暖房パネル接続構造であって、ヒーターパネルは、発熱体を内蔵したヒーターユニットと、ヒーターユニットに給電するための給電用コネクタを収容するコネクタ収容部を途中に配し、配線挿通口を両端に有した配線トンネル、およびヒーターユニット収容部が形成されたパネルベースと、パネルベースに被せられるパネルカバーとを備えており、配線トンネルは、隣設されたヒーターパネルの配線トンネルと、配線挿通口を通じて同一直線状に連通する構造とされ、パネルカバーは、配線作業時に、配線トンネルのうち、一方の配線挿通口からコネクタ収容部までに通じる配線通路と、コネクタ収容部の全体とを露出開口させる配線操作カバーを備えていることを特徴とする。
【００１５】
請求項２では、コネクタ収容部が上記一方の配線挿通口側に偏在して形成されている。
【００１６】
請求項３では、配線操作カバーがパネルカバーの一隅部を切断、分割して形成されている。
【発明の効果】
【００１７】
請求項１に記載の床暖房パネル接続構造によれば、パネルカバーは、配線作業時に、配線トンネルのうち一方の配線挿通口からコネクタ収容部までを部分的に露出開口させる配線操作カバーを備えている。つまり、ヒーターパネルを下地床上に隣設したときには、配線挿通口同士が接触するように配線トンネルが連結されるが、一方側の配線挿通口からコネクタ収容部までの配線トンネルが上方を開放した状態となるため、配線作業時に配線ケーブルがトンネルの挿通口付近で引っかかることなく、効率的に作業が行える。
【００１８】
請求項２に記載の床暖房パネル接続構造によれば、コネクタ収容部は配線操作カバーに対応した一方の配線挿通口側に偏在して形成されているため、配線操作カバーを小さくできる。
【００１９】
請求項３に記載の床暖房パネル接続構造によれば、配線操作カバーはパネルカバーの一隅部を切断、分割して形成されているため、材料を有効に利用できる。また、配線操作カバーが隅部に対応しているため、配線操作カバーを切り取った残余材で形成されるカバー本体は、露出開口を挟むような両翼片が形成されないため、変形もしにくく、配線操作カバーを開口に嵌め入れやすい。
【発明を実施するための最良の形態】
【００２０】
以下に、本発明の実施の形態について、添付図面を参照しながら説明する。
【００２１】
図１（ａ）は本発明の床暖房パネル接続構造を示す床暖房パネル概略平面図、（ｂ）は（ａ）のＡ−Ａ線矢視概略縦断面図である。また図２は、ヒーターパネルの分解斜視図（配線ケーブルは図示省略）である。
【００２２】
この床暖房パネル１Ａは、発熱体を内蔵したヒーターパネル１を複数、それぞれのヒーターパネル１の内部に配線ケーブル１３を通過させて接続し、下地床２上に、パネル１の長辺１ａ同士が隣接するように配列して構成される。
【００２３】
個々のヒーターパネル１は、矩形、平板状に形成されており、発熱体（不図示）を内蔵し、給電用コネクタ１２をケーブル１１を介して導出したヒーターユニット１０と、ヒーターユニット１０、給電用コネクタ１２およびそのコネクタ１２に接続した配線ケーブル１３を収容したパネルベース２０と、それらを収容した状態でパネルベース２０に被せられるパネルカバー３０とを備えて構成される。
【００２４】
ヒーターユニット１０は、例えばアルミ箔などのシート材の内部に電熱線などの発熱体をジグザグ状に面状に形成してなり、ケーブル１１を介して給電用コネクタ１２導出させている。なお、ヒーターユニット１０は、給電用コネクタ１２を組み込んだ構成であってもよい。
【００２５】
この給電用コネクタ１０は、２つの配線ケーブル１３が対向するように差込できる２つの差込口１２ａが設けられ、後述するパネルベース２０のコネクタ収容部２３に収容したときには、パネルベース２０に形成された配線通路２２ａ上に配されている。
【００２６】
パネルベース２０は、ヒーターユニット１０を収容するヒーターユニット収容部２１と、給電用コネクタ１２を収容するコネクタ収容部２３とを備えている。
【００２７】
また、パネルベース２０には、ヒーターパネル１の短辺１ｂに平行に直線状の溝２２ａが形成されており、コネクタ収容部２３はその溝２２ａの途中に配されている。この溝２２ａは配線用の通路であり、パネルカバー３０が被せられることで、配線トンネル２２として形成される。
【００２８】
この配線トンネル２２は、両端に配線挿通口２４，２５を有しており、複数のヒーターパネル１を下地床２上に敷設したときには、隣り合うヒーターパネル１の配線挿通口２４，２５同士が整合して、両パネル１の配線トンネル２２が同一直線状に連通する。このように、複数のヒーターパネル１を並べると両パネル１にまたがる配線トンネル２２が形成され、その配線トンネル２２内に配線ケーブル１３が配されることで、隣接する２つのパネル１の給電用コネクタ１２間が接続される。
【００２９】
また、コネクタ収容部２３は、給電用コネクタ１２に接続される配線ケーブル１３を配設する配線通路２２ａと連続して形成されており、その形成位置は、図１，２に示すように、２つの配線挿通口２４，２５のうちの一方の挿通口２５側に偏在している。コネクタ収容部２３は、配線通路２２ａとの接続部分に、コネクタ１２に差し込まれる差込プラグ１３ａを収容できるように、その部分が配線通路２２ａよりもやや幅広となったプラグ収容部２３ａを備えている。
【００３０】
パネルカバー３０は、パネルベース２０の平面全体を覆い隠すものであって、おもにヒーターユニット１０を覆い隠すカバー本体３１と、おもに給電用コネクタ１２とその周辺を覆い隠す配線操作カバー３２とより構成されている。このカバー本体３１は、ヒーターパネル１を下地床２上に配列する際にはヒーターユニット１０を収容したパネルベース３０に固着されているが、配線操作カバー３２は、配線作業を行うために配線作業が完了するまで取り外されている。
【００３１】
なお本実施形態では、カバー本体３１は矩形の板材より一隅部を残して切断して形成され、その切断された隅部の部材を配線操作カバー３２として使用するようにしているが、それには限定されず、それぞれ別の材料から成形するようにしてもよい。
【００３２】
この配線操作カバー３２は、それを取り外しているときには、ヒーターパネル１の短手方向に走る配線トンネル２２のうち、一方の配線挿通口２５からコネクタ収容部２３までに通じる配線通路２２ａと、コネクタ収容部２３の全体とを露出開口させている。すなわち、配線ケーブル１３の接続作業がなされる前は、コネクタ収容部２３の全体と、コネクタ１２の一方の差込口１２ａから配線挿通口２５までの配線通路２２ａと、反対側の差込口１２ａから配線挿通口２４までの配線通路２２ａの一部とが開口２６によって露出されている。一方、他方の配線挿通口２４にいたるまでの配線通路２２ａの残りの部分はカバー本体部３１によって覆われている。
【００３３】
なお、配線操作カバー３２は、パネルカバー３０の隅部に対応したものでなくてもよく、すくなくとも一方の配線挿通口２５を設けた長辺側に対応したものであればよい。
【００３４】
図３は、床暖房パネル１Ａの隣接するパネル間の配線作業を示す斜視図である。本図例においては、便宜上、図中の右側のヒーターパネルを当該パネル１Ｒ、左側のヒーターパネル１Ｌを隣接パネルという。
【００３５】
本図例は、当該パネル１Ｒから配線ケーブル１３を配線トンネル２２に通して隣接パネル１Ｌの給電用コネクタ１２に接続するようにしたもので、配線ケーブル１３は当該パネル１Ｒの露出開口２６より配線トンネル２２に挿入され、さらに押し込まれて、ケーブル１３の先端の差込プラグ１３ａが当該パネル１Ｒの配線挿通口（出口）２４から出て、隣接パネル１Ｌの露出された配線挿通口（入口）２５に現れ、図３に示される状態となる。
【００３６】
この状態では、ケーブル１３の先端が、上方が露出された配線トンネル２２の配線通路２２ａ上に現れるため、作業者はその差込プラグ１３ａを掴んで引っ張り出して、そのプラグ１３ａを隣接パネル１Ｌの給電用コネクタ１２に接続できる。
【００３７】
このように、隣設された両パネル１の配線接続構造は、配線挿通口２４，２５同士が整合されるように長辺１ａ同士が接触して、両パネル１の配線トンネル２２同士が隙間なく直線状に連通される構造となっている。配線作業時には、隣り合う配線挿通口２４，２５の一方が上方を開放された状態となっているため、配線ケーブル１３は一方のパネル１の配線トンネル２２だけを通過させればよく、従来のように継ぎ目のある配線トンネルを通過させる必要はなく、作業性はきわめてよい。かりに両パネル１の配線挿通口２４，２５の位置ずれが生じた場合でも、配線ケーブル１３を取り出すほうでは、配線挿通口２５の上方が露出開口２６によって開放されているため、ケーブル１３の先端を取り出すことができる。
【００３８】
さらに、このように配線ケーブル１３を通過させやすい構造であるため、配線トンネル２２の幅は必要以上に広げなくてもよく、施工後に、パネルカバー３０に荷重がかかって割れなどを引き起こすおそれもない。
【００３９】
また本実施形態では、コネクタ収容部２３は配線操作カバー３２に対応した一方の配線挿通口２５側に偏在して形成されているため、配線操作カバーを小さくできる。さらに、配線操作カバー３２はパネルカバー３０の一隅部を切断、分割して形成されているため、材料を有効に利用できる。また、配線操作カバー３２が隅部に対応しているため、配線操作カバー３２を切り取った残余材で形成されるカバー本体３１は、従来では形成されていた露出開口を挟むような両翼片が形成されないため、変形もしにくく、配線操作カバー３２を開口２６に嵌め入れやすい。
【００４０】
なお、配線ケーブル１３は図３の例とは逆向きに配線トンネル２２を通過させるようにしてもよい。この場合でも、配線ケーブル１３はいずれか一方のパネル１の配線トンネル２２を通過させればよく、図３の例と同様に作業効率はよい。
【００４１】
以上のようにして順次、配線ケーブル１３の配線作業が行われ、すべての配線作業が完了すると、すべてのヒーターパネル１について配線操作カバー３２を開口２６に嵌め入れて固着してゆくことで床暖房パネル１Ａの施工が完了する。その後、さらにその上に仕上げ床材（不図示）が配設される。
【００４２】
上記の実施形態では、配線トンネル２２は、パネルベース２０に形成された溝２２ａによって形成されているが、図４のパネルベースの他例に示すように、コネクタ収容部２３を除いて、パネルベース２０の上下が貫通するように切り欠いて形成されたものであってもよい。パネルベース２０の他の構成については図１〜３のものと同様であるため、同一の符号を付して説明は省略する。また、ヒーターユニット、給電用コネクタ、パネルカバー、配線ケーブルについては、図１〜３と同様のものが使用できる。このような構造によれば、配線トンネル２２の高さに余裕ができるため、配線ケーブル１３の配線作業はさらにしやすくなる。
【００４３】
また、以上の実施形態では、配線操作カバー３２をカバー本体３１から分離させているが、ヒンジ部を設けて開閉可能に構成してもよい。
【図面の簡単な説明】
【００４４】
【図１】（ａ）は本発明の床暖房パネル接続構造を示す床暖房パネルの概略平面図、（ｂ）は（ａ）のＡ−Ａ線矢視概略縦断面図である。
【図２】同床暖房パネルを構成するヒーターパネルの分解斜視図（配線ケーブルは図示省略）である。
【図３】床暖房パネルの隣接するパネル間の配線作業を示す斜視図である。
【図４】パネルベースの他例の構造を示す斜視図である。
【図５】従来の床暖房パネルの接続構造を示す床暖房パネルの平面図である。
【図６】従来の床暖房パネルを構成するヒーターパネルの分解斜視図である。
【符号の説明】
【００４５】
１Ａ      床暖房パネル
１      ヒーターパネル
１０      ヒーターユニット
１１      ヒーターユニットから給電用コネクタまでのケーブル
１２      給電用コネクタ
１２ａ      差込口
１３      配線ケーブル
１３ａ      差込プラグ
２０      パネルベース
２１      ヒーターユニット収容部
２２      配線トンネル
２２ａ      配線通路（溝）
２３      コネクタ収容部
２４      配線挿通口（上方閉塞側）
２５      配線挿通口（上方開口側）
２６      露出開口
３０      パネルカバー
３１      カバー本体
３２      配線操作カバー
２      下地床
【図１】
2010007872.tif 000003
【図２】
2010007872.tif 000004
【図３】
2010007872.tif 000005
【図４】
2010007872.tif 000006
【図５】
2010007872.tif 000007
【図６】
2010007872.tif 000008